(57)【要約】【課題】  利用者がテレビ番組配信端末から、無線携帯端末を介して事前に登録した利用者の属性に応じたコマーシャルの配信を受けることができるようにする。【解決手段】  開示されるテレビ番組表示システムは、利用者の無線携帯端末１とテレビ番組配信端末３とをネットワーク２を介して接続し、利用者が無線携帯端末１を介してテレビ番組配信端末３から番組を閲覧して視聴したい番組をテレビ番組配信端末３に登録するテレビ番組表示システムにおいて、利用者が、テレビ番組配信端末３に対する利用登録時、利用者自身の属性の情報を登録することによって、テレビ番組配信端末３が、利用者の視聴したい番組の登録時、登録された番組のデータと登録されている利用者の属性のデータとを統計処理し、この統計処理結果に応じて選択されたコマーシャルを登録された番組に付加して送信する。【選択図】      図１
2005110306.tif 000002
【特許請求の範囲】
【請求項１】
利用者の携帯端末とテレビ番組配信端末とを通信ネットワークを介して接続し、利用者が前記携帯端末を介してテレビ番組配信端末から番組を閲覧して視聴したい番組を前記テレビ番組配信端末に登録するテレビ番組表示システムにおいて、
利用者が、前記テレビ番組配信端末に対する利用登録時、利用者自身の属性の情報を登録することによって、前記テレビ番組配信端末が、前記利用者の視聴したい番組の登録時、登録された番組のデータと前記登録されている利用者の属性のデータとを統計処理し、該統計処理結果に応じて選択されたコマーシャルを前記登録された番組に付加して送信することを特徴とするテレビ番組表示システム。
【発明の詳細な説明】
【技術分野】
【０００１】
この発明は利用者が、携帯端末からネットワークを介してテレビ番組を閲覧して視聴したい番組を登録するための、テレビ番組表示システムに関する。
【背景技術】
【０００２】
従来、テレビ番組を確認する方法として、視聴者がインターネットのホームページ上で、テレビ番組を確認できるようにしたシステムが既に知られている。
また、従来、テレビ番組に関する情報を、パソコンやファックスを用いて取り出すことができるようにしたシステムも既に知られている。
このような従来のシステムにおいて、テレビのコマーシャル番組は、視聴者の属性をある程度予測して作成されてはいるが、実際に、個々の視聴者の属性に応じてコマーシャル番組を流すことはできなかった。
【０００３】
例えば、特許文献１においては、利用者が番組ガイドサーバに対して視聴したい番組を登録することによって、その番組が開始する前の適切な時間に利用者に対して番組リマインダを表示して、番組の開始を通知するクライアント−サーバ電子番組ガイドが開示されている。
【０００４】
また、特許文献２においては、情報通知装置が利用者に対して、イベント等に関する情報をその日時情報とともに利用者によって予め定められたタイミングで、電子メールによって通知する情報通知装置及び情報通知方法並びにプログラムを記録した機械読み取り可能な記録媒体が開示されている。
【特許文献１】国際公開第００／１１８６９号パンフレット（特表２００２−５３０９６９号公報参照）
【特許文献２】特開２０００−０６７０８２号公報
【発明の開示】
【発明が解決しようとする課題】
【０００５】
従来のテレビ番組表示システムにおいて、テレビのコマーシャル番組は、一般的に視聴者の属性をある程度予測して作成されてはいるが、実際に個々の視聴者の属性に応じてコマーシャル番組を流すことはできず、従って利用者にとって最も効果的なコマーシャルを送信することはできないという問題があった。
【０００６】
これに対して、特許文献１記載の発明によれば、利用者が視聴したい番組を登録することによって、その番組の開始前の適切な時間に利用者に対して番組の開始を通知することができるが、その番組において、利用者の属性に応じた適切なコマーシャル番組を流すことはできなかった。
【０００７】
また、特許文献２記載の発明によれば、利用者に対して、イベント等に関する情報をその日時情報とともに、利用者によって予め定められたタイミングで電子メールによって通知することができるが、その情報において、利用者の属性に応じた適切なコマーシャル情報を送ることはできなかった。
【０００８】
この発明は、上述の事情に鑑みてなされたものであって、視聴者が携帯端末から通信ネットワークを介してテレビ番組配信端末に接続して、テレビ番組配信端末から予め登録した視聴したいテレビ番組を閲覧する際に、視聴者の属性に応じて効果的にコマーシャル番組を流すことが可能な、テレビ番組表示システムを提供することを目的としている。
【課題を解決するための手段】
【０００９】
上記課題を解決するため、請求項１記載の発明は、テレビ番組表示システムに係り、利用者の携帯端末とテレビ番組配信端末とを通信ネットワークを介して接続し、利用者が上記携帯端末を介してテレビ番組配信端末から番組を閲覧して視聴したい番組を上記テレビ番組配信端末に登録するテレビ番組表示システムにおいて、利用者が、上記テレビ番組配信端末に対する利用登録時、利用者自身の属性の情報を登録することによって、上記テレビ番組配信端末が、上記利用者の視聴したい番組の登録時、登録された番組のデータと上記登録されている利用者の属性のデータとを統計処理し、該統計処理結果に応じて選択されたコマーシャルを上記登録された番組に付加して送信することを特徴としている。
【発明の効果】
【００１０】
この発明のテレビ番組表示システムによれば、利用者に対して、利用者が登録した番組のデータと利用者の年齢，性別，嗜好等の属性の情報のデータとを統計的に処理した結果に応じて、テレビ番組配信端末側でコマーシャルの種類や内容を選択して番組に付加して送信することができるので、コマーシャルの放映効果を向上させることが可能になる。
【発明を実施するための最良の形態】
【００１１】
利用者の携帯端末とテレビ番組配信端末とを通信ネットワークを介して接続し、利用者が携帯端末を介してテレビ番組配信端末から番組を閲覧して視聴したい番組をテレビ番組配信端末に登録するテレビ番組表示システムにおいて、利用者が、テレビ番組配信端末に対する利用登録時、利用者自身の属性の情報を登録することによって、テレビ番組配信端末が、利用者の視聴したい番組の登録時、登録された番組のデータと登録されている利用者の属性のデータとを統計処理し、この統計処理結果に応じて選択されたコマーシャルを登録された番組に付加して送信する。
【実施例】
【００１２】
以下、図面を参照して、この発明の実施の形態について説明する。説明は、実施例を用いて具体的に行う。
図１は、この発明のテレビ番組表示システムの構成例を示すブロック図、図２は、この発明のテレビ番組表示システムの他の構成例を示すブロック図、図３は、この発明の一実施例であるテレビ番組表示システムの動作を示すフローチャートである。
【００１３】
この発明のテレビ番組表示システムは、その構成例として、図１に示すように、無線携帯端末１を配下に有するネットワーク２に対して、テレビ番組配信端末３と、メール配信端末４とを接続した概略構成を有している。
無線携帯端末１は、携帯電話，ＰＨＳ（Personal Handyphone System）等に代表される無線電話に、インターネット等のホームページ閲覧機能を付加した端末である。又は、無線電話と利用者が持つ携帯端末とをケーブル等で接続した、同等な機能を持つものでもよい。ただし、いずれの場合もメール受信時に、即時的に利用者に通報する手段を備えることが必要である。また利用者が、普段、身につけて携帯できる程度に小型軽量化されていることが望ましい。
【００１４】
ネットワーク２は、インターネット等の通信ネットワークから構成されているものとする。
テレビ番組配信端末３は、テレビ局等によって運営されるものであって、テレビ番組情報を電子メールやホームページで配信したり、利用者からの希望番組を登録したり、個人情報を登録したり、メール配信端末４に対して電子メール配信を要求したりする機能を持ち、サーバ等の情報処理装置によって構成されている。
メール配信端末４は、テレビ番組配信端末３からの情報をもとに電子メールを送信する機能を持ち、サーバ等の情報処理装置によって構成されている。
【００１５】
この発明のテレビ番組表示システムは、別の構成例として、図２に示すように、無線携帯端末１を配下に有するネットワーク２に対してテレビ番組配信端末３Ａを接続し、さらにテレビ番組配信端末３Ａにメール配信端末４Ａを接続した概略構成を有している。
図２に示されたテレビ番組表示システムにおいて、無線携帯端末１と、ネットワーク２との機能は、図１に示された構成例の場合と同様である。
テレビ番組配信端末３Ａ，メール配信端末４Ａは、それぞれ図１の場合のテレビ番組配信端末３，メール配信端末４と同じ機能を有しているが、テレビ番組配信端末３Ａとメール配信端末４Ａとは、一体化して構成されていて、メール配信端末４Ａは、テレビ番組配信端末３Ａを介してネットワーク２に接続されるように構成されている点が異なっている。
【００１６】
以下、図３を参照して、この例のテレビ番組表示システムにおいて、利用者の属性に応じてコマーシャルを流す場合の動作を説明する。なお、以下においては、図１の構成に基づいてその動作を説明するが、図２の構成の場合も同様である。
まず、利用者は、無線携帯端末１を用いて、利用者自身のメールアドレス等の情報を、ネットワーク２を介して登録することによって、テレビ番組配信端末３に対して利用登録を行なうとともに、年齢，性別，嗜好等の利用者自身の属性の情報を、ネットワーク２を介してテレビ番組配信端末３に登録する（図３ステップＳ１０１）。
【００１７】
次に、利用者はテレビ番組配信端末３が提供するテレビ番組表を、無線携帯端末１を用いて閲覧し（図３ステップＳ１０２）、視聴したい番組を無線携帯端末１を介してテレビ番組配信端末３に登録する（図３ステップＳ１０３）。
テレビ番組配信端末３は、登録された番組のデータと、事前に登録されている利用者の属性のデータとを統計処理して（図３ステップＳ１０４）、その統計処理結果に応じて最も効果的なコマーシャルを選択して、登録された番組に付加して放映する（図３ステップＳ１０５）。
【００１８】
このように、この例によれば、利用者がテレビ番組配信端末に対する利用登録時に、利用者の年齢，性別，嗜好等の属性の情報を、無線携帯端末を介して入力しておくことによって、テレビ番組配信端末側では、番組のデータと利用者の属性のデータとを統計的に処理して、その統計処理結果に応じて、なるべく多くの利用者の属性に適合するように、番組に付加するコマーシャルの種類や内容を変える等の操作を行うことができるので、コマーシャルの放映効果を向上させることが可能になる。
【００１９】
以上、この発明の実施例を図面により詳述してきたが、具体的な構成はこの実施例に限られたものではなく、この発明の要旨を逸脱しない範囲の設計の変更等があってもこの発明に含まれる。例えば、この例においては、利用者がテレビ番組配信端末に対して利用登録を行なう際に、最初に利用者自身のメールアドレスの情報を、ネットワークを介してテレビ番組配信端末に登録するので、テレビ番組配信端末がその番組の開始の所定時間前に、利用者に対してメール配信端末を介して番組開始を報知する電子メールを送ることによって、利用者の番組の見忘れを防止するようにしてもよい。さらにこの際における、メール配信時刻の登録は、利用者のテレビ番組配信端末に対する視聴したい番組の登録時でもよく、又は利用者のテレビ番組配信端末に対する利用登録時でもよい。
【産業上の利用可能性】
【００２０】
この発明のテレビ番組表示システムは、携帯電話，ＰＨＳ（Personal Handyphone System）等に代表される無線電話装置に、インターネット等のホームページ閲覧機能を付加した端末に適用することが最も好適であるが、無線電話と利用者が持つ携帯端末とをケーブル等で接続した、上述の場合と同等な機能を持つシステムの携帯端末等に対しても適用することができる。
【図面の簡単な説明】
【００２１】
【図１】この発明のテレビ番組表示システムの構成例を示すブロック図である。
【図２】この発明のテレビ番組表示システムの他の構成例を示すブロック図である。
【図３】この発明の一実施例であるテレビ番組表示システムの動作を示すフローチャートである。
【符号の説明】
【００２２】
１    無線携帯端末（携帯端末）
２    ネットワーク（通信ネットワーク）
３，３Ａ    テレビ番組配信端末
４，４Ａ    メール配信端末
【図１】
2005110306.tif 000003
【図２】
2005110306.tif 000004
【図３】
2005110306.tif 000005